(57)【要約】【課題】複合機又はプリンタとの通信が確立されていない携帯端末を用いた場合における出力設定項目についての自由度を高め、利便性を向上させる。【解決手段】スキャナ部で作成された画像データが、矩形領域と矩形領域を取り囲む枠領域とから構成されているという所定形状条件に合致するか否かを判断する（Ｓ１３）。そして、所定形状条件に合致すると判断した場合、当該画像データに含まれる画像の矩形領域に、画像記録又は画像データ送信に係る指示情報が表示されているか否かを判断する（Ｓ１４）。さらに、指示情報が表示されていると判断した場合、当該指示情報に従って画像記録又は画像データ送信を行う（Ｓ２２）。【選択図】図４
2020057854.tif 000002
【特許請求の範囲】
【請求項１】
フラットベッド方式の画像読取部と、
画像データに基づいて記録媒体に画像を記録する画像記録部、及び、画像データを通信先装置に送信する画像送信部の少なくともいずれか一方と、
画像が矩形領域と前記矩形領域を取り囲む枠領域とから構成されているという、画像データに含まれる画像に関する所定形状条件を記憶する条件記憶部と、
制御部とを備えており、
前記制御部は、
前記画像読取部による原稿の読み取りによって作成された画像データが、前記条件記憶部が記憶する前記所定形状条件に合致するものであるか否かを判断する画像判断処理と、
前記画像判断処理において前記画像データが前記所定形状条件に合致すると判断した場合、当該画像データに含まれる画像の矩形領域に、前記画像記録部における画像の記録又は前記画像送信部における画像データの送信に係る指示情報が表示されているか否かを判断する指示情報有無判断処理と、
前記指示情報有無判断処理において前記指示情報が表示されていると判断した場合、当該指示情報に従って記録媒体に画像が記録されるように前記画像記録部を制御する、又は、当該指示情報に従って画像データが送信されるように前記画像送信部を制御する出力処理とを実行することを特徴とする複合機。
【請求項２】
前記制御部は、
前記指示情報有無判断処理において前記指示情報が表示されていると判断した場合、前記出力処理において、前記指示情報有無判断処理よりも後に行われた前記画像読取部による原稿の読み取りによって作成された画像データに基づいて画像が記録されるように前記画像記録部を制御する、又は、当該原稿の読み取りによって作成された画像データが送信されるように前記画像送信部を制御することを特徴とする請求項１に記載の複合機。
【請求項３】
前記制御部は、
前記指示情報有無判断処理において前記指示情報が表示されていないと判断した場合、前記出力処理において、前記画像判断処理において前記所定形状条件に合致するものであるかの判断対象となった画像データに基づいて記録媒体に画像が記録されるように前記画像記録部を制御する、又は、当該判断対象となった画像データが送信されるように前記画像送信部を制御することを特徴とする請求項１又は２に記載の複合機。
【請求項４】
前記画像記録部又は前記画像送信部における画像の出力に係る出力設定データを記憶する設定データ記憶部をさらに備えており、
前記制御部は、
前記指示情報有無判断処理において前記指示情報が表示されていないと判断した場合、前記出力処理において、前記設定データ記憶部に記憶された出力設定データを用いて、前記画像記録部又は前記画像送信部を制御することを特徴とする請求項３に記載の複合機。
【請求項５】
前記制御部は、
前記指示情報有無判断処理において前記指示情報が表示されていると判断した場合、当該指示情報に係る前記出力設定データを前記設定データ記憶部に記憶させる設定データ記憶処理をさらに実行することを特徴とする請求項４に記載の複合機。
【請求項６】
前記条件記憶部は、前記画像読取部による原稿の読み取りによって作成された画像データに含まれる画像が出力禁止画像に該当するか否かの画像判断条件をさらに記憶しており、
前記制御部は、
前記指示情報有無判断処理において前記指示情報が表示されていないと判断した場合、前記条件記憶部に記憶された前記画像判断条件に基づいて、前記画像読取部による原稿の読み取りによって作成された画像データに含まれる画像が出力禁止画像に該当するか否かを判断する画像判断処理と、
前記画像判断処理において出力禁止画像に該当すると判断した場合に、当該画像データに基づいた前記出力処理の実行を中止する中止処理とをさらに実行することを特徴とする請求項３〜５のいずれか１項に記載の複合機。
【請求項７】
画像データの出力設定データを格納する、ネットワークに接続された装置と通信可能な通信部をさらに備えており、
前記制御部は、
前記指示情報有無判断処理において、前記指示情報として、ネットワーク上の前記装置に係る位置指定情報が表示されているか否かを判断し、
前記位置指定情報が表示されていると判断した場合に、前記装置に格納された前記出力設定データを取得するように、前記通信部を制御する取得処理をさらに実行し、
前記出力処理において、前記取得処理で取得した前記出力設定データを用いて前記画像記録部又は前記画像送信部を制御することを特徴とする請求項１〜６のいずれか１項に記載の複合機。
【請求項８】
前記条件記憶部は、矩形領域の寸法範囲及び前記枠領域の寸法範囲をそれぞれ記憶していることを特徴とする請求項１〜７のいずれか１項に記載の複合機。
【請求項９】
画像データに基づいて記録媒体に画像を記録する画像記録部と、
画像が矩形領域と前記矩形領域を取り囲む枠領域とから構成されているという、画像データに含まれる画像に関する所定形状条件を記憶する条件記憶部と、
フラットベッド方式の画像読取装置と接続可能な接続部と、
制御部とを備えており、
前記制御部は、
前記画像読取装置による原稿の読み取りによって作成された画像データが、前記条件記憶部が記憶する前記所定形状条件に合致するものであるか否かを判断する画像判断処理と、
前記画像判断処理において前記画像データが前記所定形状条件に合致すると判断した場合、当該画像データに含まれる画像の矩形領域に、前記画像記録部における画像の記録に係る指示情報が表示されているか否かを判断する指示情報有無判断処理と、
前記指示情報有無判断処理において前記指示情報が表示されていると判断した場合、当該指示情報に従って記録媒体に画像が記録されるように前記画像記録部を制御する出力処理とを実行することを特徴とする画像記録装置。
【発明の詳細な説明】
【技術分野】
【０００１】
本発明は、複合機及び画像記録装置に関する。
【背景技術】
【０００２】
近年の複合機（ＭＦＰ：Multi-Function Peripheral）及びプリンタには、スマートフォンなどの携帯端末と例えば無線ＬＡＮ（Local Area Network）を介してダイレクトに通信を確立できるものが多い（特許文献１参照）。そして、携帯端末から、１以上の出力設定項目（例えば、用紙サイズ、印刷枚数、カラー・モノクロ、ページ集約）に関するパラメータ（出力設定データ）を、無線通信を介して複合機又はプリンタに送信して印刷又はファックス送信を実行することができる。
【先行技術文献】
【特許文献】
【０００３】
【特許文献１】特開２００４−３０２８０号公報
【発明の概要】
【発明が解決しようとする課題】
【０００４】
しかしながら、例えば、ディスプレイが備えられていない複合機又はプリンタの場合、無線通信の識別情報（例えばＳＳＩＤ（Service Set IDentifier））及びパスワードを表示させたり、タッチパネルを介したパスワードの入力ができないため、携帯端末との間で無線通信を確立することは困難となる。したがって、１以上の出力設定項目に関するパラメータとして予め複合機又はプリンタに記憶された所定パラメータを用いて印刷又はファックス送信せざるを得ず、利便性の面で良好であるとはいえない。そこで、携帯端末との通信が確立されていない場合であっても、出力設定項目についての自由度を高めることが望まれる。
【０００５】
本発明の目的は、複合機又はプリンタとの通信が確立されていない携帯端末を用いた場合における出力設定項目についての自由度を高め、利便性を向上させることができる複合機及び画像記録装置を提供することである。
【課題を解決するための手段】
【０００６】
本発明の複合機は、フラットベッド方式の画像読取部と、画像データに基づいて記録媒体に画像を記録する画像記録部、及び、画像データを通信先装置に送信する画像送信部の少なくともいずれか一方と、画像が矩形領域と前記矩形領域を取り囲む枠領域とから構成されているという、画像データに含まれる画像に関する所定形状条件を記憶する条件記憶部と、制御部とを備えており、前記制御部は、前記画像読取部による原稿の読み取りによって作成された画像データが、前記条件記憶部が記憶する前記所定形状条件に合致するものであるか否かを判断する画像判断処理と、前記画像判断処理において前記画像データが前記所定形状条件に合致すると判断した場合、当該画像データに含まれる画像の矩形領域に、前記画像記録部における画像の記録又は前記画像送信部における画像データの送信に係る指示情報が表示されているか否かを判断する指示情報有無判断処理と、前記指示情報有無判断処理において前記指示情報が表示されていると判断した場合、当該指示情報に従って記録媒体に画像が記録されるように前記画像記録部を制御する、又は、当該指示情報に従って画像データが送信されるように前記画像送信部を制御する出力処理とを実行する。
【０００７】
また、本発明の画像記録装置は、画像データに基づいて記録媒体に画像を記録する画像記録部と、画像が矩形領域と前記矩形領域を取り囲む枠領域とから構成されているという、画像データに含まれる画像に関する所定形状条件を記憶する条件記憶部と、フラットベッド方式の画像読取装置と接続可能な接続部と、制御部とを備えており、前記制御部は、前記画像読取装置による原稿の読み取りによって作成された画像データが、前記条件記憶部が記憶する前記所定形状条件に合致するものであるか否かを判断する画像判断処理と、前記画像判断処理において前記画像データが前記所定形状条件に合致すると判断した場合、当該画像データに含まれる画像の矩形領域に、前記画像記録部における画像の記録に係る指示情報が表示されているか否かを判断する指示情報有無判断処理と、前記指示情報有無判断処理において前記指示情報が表示されていると判断した場合、当該指示情報に従って記録媒体に画像が記録されるように前記画像記録部を制御する出力処理とを実行する。
【０００８】
ここで、指示情報は、出力設定データを含むものであってもよいし、出力設定データのネットワーク上の位置指定情報を含むものであってもよい。
【発明の効果】
【０００９】
本発明では、ディスプレイを有する携帯端末と複合機との通信を確立することが煩雑である場合又はできない場合においても、携帯端末から複合機に画像の出力処理に係る指示情報を提供することが可能となる。したがって、表示部又はタッチパネルなどの複雑な操作部を持たない複合機に対しても、表示部又は複雑な操作部を持つ複合機と同様の指示情報を提供することができる。よって、複合機又はプリンタとの通信が確立されていない携帯端末を用いた場合における出力設定項目についての自由度を高め、利便性を向上させることができる。
【図面の簡単な説明】
【００１０】
【図１】本発明の一実施形態にかかる複合機の電気的構成を概略的に示すブロック図である。
【図２】図１に示す複合機が接続されたシステムを示す模式図である。
【図３】（ａ）は図１のスキャナ部で読み取る二次元コードが表示されるディスプレイを備えた携帯端末を示す図であり、（ｂ）は携帯端末のスキャン画像における矩形領域及び枠領域を説明するための図である。
【図４】図１に示す複合機の制御部で行われる処理手順の一例を示すフローチャートである。
【図５】変形例に係るプリンタの電気的構成を概略的に示すブロック図である。
【発明を実施するための形態】
【００１１】
以下、本発明の一実施の形態にかかる複合機について図面を参照しつつ説明する。本実施形態は、印刷機能、スキャナ機能及びＦＡＸ機能を有する複合機（ＭＦＰ：Multi Function Peripheral）に本発明を適用したものである。
【００１２】
図１に示すように、複合機１は、ＣＰＵ（Central Processing Unit）１１、ＲＯＭ（Read Only Memory）１２、ＲＡＭ（Random Access Memory）１３、条件記憶部１４、設定データ記憶部１５、ＡＳＩＣ（Application Specific Integrated Circuit）１６を含む制御部１０を備えている。ＡＳＩＣ１６には、スキャナ部２、プリンタ部３、ネットワーク通信部４、ファクシミリ通信部５及び操作部６が接続されている。制御部１０は、これらＣＰＵ１１、ＲＯＭ１２、ＲＡＭ１３、条件記憶部１４、設定データ記憶部１５及びＡＳＩＣ１６が協働して複合機１全体の制御を司る。条件記憶部１４及び設定データ記憶部１５は、図示しないＥＥＰＲＯＭ（Electrically Erasable Programmable Read-Only Memory）によって構成されているが、ＲＯＭ１２によって構成されていてもよい。なお、本実施形態の複合機１には、ディスプレイは備えられていない。
【００１３】
図１では、ＣＰＵ１１及びＡＳＩＣ１６を１つずつ図示しているが、制御部１０は、ＣＰＵ１１を１つだけ含み、この１つのＣＰＵ１１が必要な処理を一括して行うものであってもよいし、ＣＰＵ１１を複数含み、これら複数のＣＰＵ１１が必要な処理を分担して行うものであってもよい。また、制御部１０は、ＡＳＩＣ１６を１つだけ含み、この１つのＡＳＩＣ１６が必要な処理を一括して行うものであってもよいし、ＡＳＩＣ１６を複数含み、これら複数のＡＳＩＣ１６が必要な処理を分担して行うものであってもよい。
【００１４】
スキャナ部２は、ＣＣＤやＣＭＯＳなどの光電変換素子を用いて、読み取り台（図示せず）に置かれた原稿を光学的に読み取って、画像データを作成する。プリンタ部３は、所定の方式（例えば、レーザ方式やインクジェット方式）で、画像データに基づいて用紙上に画像を記録する装置である。
【００１５】
ネットワーク通信部４は、図２に示すようにＬＡＮ２１及びプロキシサーバ２２を介して複合機１をインターネット２０に接続するためのものである。したがって、複合機１は、図２に示すようにインターネット２０に接続されたサーバ２３と通信することができる。なお、ＬＡＮ２１は、有線ＬＡＮであってもよいし、無線ＬＡＮであってもよい。また、ＬＡＮ２１は、有線ＬＡＮ及び無線ＬＡＮの両方を含んでいてもよい。ファクシミリ通信部５は、電話回線を通じたＦＡＸ通信により他のＦＡＸ装置に画像データを送信するためのものである。
【００１６】
操作部６は、選択ボタン６ａ、スタートボタン６ｂ及び電源ボタン６ｃの３つの物理ボタンを備えている。選択ボタン６ａは、プリンタ部３によって用紙に画像の記録を行うプリントモード、及び、ファクシミリ通信部５によって画像データの送信を行うＦＡＸモードのいずれの出力モードで処理を実行するかの指示を、ユーザが入力するためのものである。すなわち、例えばデフォルトではプリントモードに設定されており、選択ボタン６ａを押す度に出力モードをＦＡＸモードに切り替えたり、プリントモードに切り替えたりすることができる。スタートボタン６ｂは、選択ボタン６ａで選択された出力モードでの処理の実行指示を、ユーザが入力するためのものである。電源ボタン６ｃは、複合機１の電源のＯＮ／ＯＦＦの切り換え指示を、ユーザが入力するためのものである。なお、複合機１に設けられている物理ボタンは、操作部６の選択ボタン６ａ、スタートボタン６ｂ及び源ボタン６ｃの３つのみである。
【００１７】
本実施形態の複合機１は、図３（ａ）に示すように、スマートフォンなどの携帯端末９の矩形状のディスプレイ９ａに表示された二次元コード８をスキャナ部２で読み取ることで、二次元コード８で示される情報を取得することができる。なお、携帯端末９は、図２に示すように、基地局２４を介してインターネット２０に接続可能である。したがって、携帯端末９は、図２に示すようにインターネット２０に接続されたサーバ２３と通信することができる。
【００１８】
条件記憶部１４には、スキャナ部２による原稿の読み取りによって作成された画像データに含まれる画像（以降、「スキャン画像」と称する）が、携帯端末９のディスプレイ９ａが配置された面を読み取ったスキャン画像であるか否かを判断するための条件が記憶されている。
【００１９】
すなわち、図３（ｂ）に示すように、携帯端末９のディスプレイ９ａが配置された面をスキャナ部２で読み取った際のスキャン画像は、矩形状のディスプレイ９ａに対応する矩形領域９１（図３（ｂ）のドットで示す領域）と、矩形領域９１を取り囲む枠領域９２（図３（ｂ）の斜線で示す領域）とから構成される。したがって、スキャン画像が、矩形領域９１と矩形領域９１を取り囲む枠領域９２とで構成されている場合は、携帯端末９のディスプレイ９ａが配置された面を読み取ったスキャン画像であると判断することができる。そこで、条件記憶部１４には、スキャン画像が矩形領域９１と矩形領域９１を取り囲む枠領域９２とで構成されているという、画像データに含まれる画像に関する条件（所定形状条件）が記憶されている。
【００２０】
また、条件記憶部１４には、矩形領域９１の寸法範囲及び枠領域９２の寸法範囲がそれぞれ記憶されている。すなわち、スキャン画像の矩形領域９１の寸法及び枠領域９２の外形の寸法が、携帯端末９のディスプレイ９ａの寸法及び携帯端末９の外形の寸法に一致している場合には、携帯端末９のディスプレイ９ａが配置された面を読み取ったスキャン画像であると判断することができる。
【００２１】
なお、携帯端末９の外形の寸法やディスプレイ９ａの寸法は、メーカや機種によって異なっている。したがって、矩形領域９１の幅（図３（ｂ）の横方向の長さ）をＡ１、長さ（図３（ｂ）の縦方向の長さ）をＡ２とした場合は、条件記憶部１４には、Ｗ１−α＜Ａ１＜Ｗ１＋α（Ｗ１、αはいずれも正の数）、Ｌ１−β＜Ａ２＜Ｌ１＋β（Ｌ１、βはいずれも正の数）との寸法範囲が記憶されている。また、枠領域９２の幅（図３（ｂ）の横方向の長さ）をＢ１、長さ（図３（ｂ）の縦方向の長さ）をＢ２とした場合は、条件記憶部１４には、Ｗ２−γ＜Ｂ１＜Ｗ２＋γ（Ｗ２、γはいずれも正の数）、Ｌ２−δ＜Ｂ２＜Ｌ２＋δ（Ｌ２、δはいずれも正の数）との寸法範囲が記憶されている。
【００２２】
また、条件記憶部１４は、スキャン画像が出力禁止画像に該当するか否かを判断するための条件（画像判断条件）を記憶する。すなわち、画像判断条件は、スキャン画像が、プリンタ部３における画像の記録、又は、ファクシミリ通信部５における画像データの送信を行うのに不適切な画像でないか否かを判断する条件である。本実施形態においては、スキャン画像に含まれる矩形領域９１が一面黒又は一面白である場合には、出力禁止画像に該当すると判断する。すなわち、携帯端末９のディスプレイ９ａに対応するスキャン画像の矩形領域９１が一面黒又は一面白である場合は、ディスプレイ９ａに表示された画像の読み取りに失敗したものと考えられる。
【００２３】
ここで、携帯端末９のディスプレイ９ａに表示される二次元コード８で示される情報について説明する。本実施形態においては、二次元コード８で示される情報は２ケースある。まず１つ目は、プリンタ部３における画像の記録、又は、ファクシミリ通信部５における画像データの送信に係る出力設定項目と、出力設定項目に関するパラメータである出力設定データとが、二次元コード８で示されるケースである。
【００２４】
ここで、プリンタ部３における画像の記録に係る出力設定項目としては、例えば「用紙サイズ」、「印刷枚数」、「カラー・モノクロ」、「ページ集約」がある。また、ファクシミリ通信部５における画像データの送信に係る出力設定項目としては、例えば「通信画質」、「カラー・モノクロ」、「送信先の電話番号」などがある。携帯端末９には、これらの出力設定項目に関するパラメータである出力設定データを入力するためのアプリケーションソフトが予めインストールされている。
【００２５】
ユーザは、アプリケーションソフトを用いて出力設定データを携帯端末９に入力する。すなわち画像の記録を行う場合には、「用紙サイズ」、「印刷枚数」、「カラー・モノクロ」、「ページ集約」の各出力設定項目に関するパラメータとして、例えば「Ａ４」、「１０枚」、「カラー」、「２ｉｎ１」を入力する。また、画像データの送信を行う場合には、「通信画質」、「カラー・モノクロ」の各出力設定項目に関するパラメータとして、例えば「高画質」、「モノクロ」を入力する。さらに、「送信先の電話番号」に関するパラメータとしては、所定桁数の電話番号を入力する。
【００２６】
携帯端末９のアプリケーションソフトは、ユーザによって入力された出力設定データを二次元コード８に変換する。そして、図３（ａ）に示すように、ディスプレイ９ａに二次元コード８を表示する。
【００２７】
二次元コード８で示される情報の２つ目は、ネットワーク上におけるサーバ２３の位置情報であるＵＲＬ（Uniform Resource Locator）であるケースである。すなわちユーザは、アプリケーションソフトを用いて出力設定データを携帯端末９に入力する。そして、携帯端末９のアプリケーションソフトは、入力された出力設定データを基地局２４及びインターネット２０を介してサーバ２３に送り、サーバ２３内のファイルに出力設定データを格納する。さらに、携帯端末９のアプリケーションソフトは、出力設定データを格納したサーバ２３内の上記ファイルのＵＲＬを二次元コード８に変換する。そして、図３（ａ）に示すように、ディスプレイ９ａに二次元コード８を表示する。
【００２８】
なお、以下の説明においては、二次元コード８で示される情報として、上述の１つ目の出力設定データである場合と、２つ目の出力設定データが格納されたサーバ内の上記ファイルのＵＲＬである場合とで区別しない場合は、「指示情報」と称することとする。
【００２９】
図１に戻って、設定データ記憶部１５は、プリンタ部３における画像の記録、又は、ファクシミリ通信部５における画像データの送信に係る出力設定項目に関するパラメータである出力設定データを記憶する。すなわち、プリンタ部３における画像の記録に係る各出力設定項目「用紙サイズ」、「印刷枚数」、「カラー・モノクロ」、「ページ集約」に関するパラメータとして、例えば「Ａ４」、「１０枚」、「カラー」、「２ｉｎ１」と記憶する。また、ファクシミリ通信部５における画像データの送信に係る各出力設定項目「通信画質」、「カラー・モノクロ」に関するパラメータとして、例えば「高画質」、「モノクロ」と記憶する。さらに、「送信先の電話番号」に関するパラメータとしては、所定桁数の電話番号を記憶する。
【００３０】
設定データ記憶部１５には、デフォルトの出力設定データが記憶されている。さらに、設定データ記憶部１５には、携帯端末９のディスプレイ９ａに表示された二次元コード８を読み取ることで、その二次元コード８から取得した出力設定データ、又は、その二次元コード８が示すＵＲＬに位置するサーバ８３内のファイルから取得した出力設定データをテンポラリのパラメータとして記憶する。
【００３１】
次に、図４を参照しつつ、本実施形態の複合機１でプリンタ部３による画像の記録、又は、ファクシミリ通信部５による画像データの送信を行う際の処理手順の一例について説明する。図４に示す処理は、複合機１の電源が投入されている期間中行われている。
【００３２】
まず、スタートボタン６ｂが押下されたか否かを判断する（Ｓ１１）。Ｓ１１の判断は、スタートボタン６ｂが押下されたと判断するまで繰り返しをおこなう。そして、スタートボタン６ｂが押下されたと判断した場合には（Ｓ１１：ＹＥＳ）、スキャナ部２によって読み取り台に置かれた原稿が読み取るスキャニングが実行され、画像データが作成される（Ｓ１２）。
【００３３】
次に、Ｓ１２で作成された画像データのスキャン画像が、携帯端末９のディスプレイ９ａが配置された面を読み取った際のスキャン画像であるか否かを判断する（Ｓ１３（画像判断処理））。具体的には、Ｓ１２で作成された画像データのスキャン画像が、条件記憶部１４に記憶されている、矩形領域９１と矩形領域９１を取り囲む枠領域９２とで構成されているという所定形状条件と、矩形領域９１の寸法範囲及び枠領域９２の寸法範囲の条件との両方を満たすか否かを判断する。そして、これら両方の条件を満たす場合に、携帯端末９のディスプレイ９ａが配置された面を読み取った際のスキャン画像であると判断する。
【００３４】
Ｓ１３において、携帯端末９のディスプレイ９ａが配置された面を読み取った際のスキャン画像であると判断した場合には（Ｓ１３：ＹＥＳ）、Ｓ１２で作成された画像データのスキャン画像のディスプレイ９ａに対応する矩形領域９１に、指示情報を示す二次元コード８が表示されているか否かを判断する（Ｓ１４（指示情報有無判断処理））。矩形領域９１に二次元コード８が表示されていると判断した場合には（Ｓ１４：ＹＥＳ）、その二次元コード８で示される指示情報が、サーバ２３のＵＲＬであるか否かを判断する（Ｓ１５）。
【００３５】
Ｓ１５において、二次元コード８で示される指示情報がサーバ２３のＵＲＬでない場合、すなわち二次元コード８で示される指示情報が出力設定データである場合には（Ｓ１５：ＮＯ）、後述するＳ１６の処理を省略してＳ１７に進む。一方、二次元コード８で示される指示情報がサーバ２３のＵＲＬである場合には（Ｓ１５：ＹＥＳ）、ネットワーク通信部４を制御し、サーバ２３に格納されている出力設定データを取得する（Ｓ１６（取得処理））。その後、二次元コード８から取得した出力設定データ、又は、サーバ２３から取得した出力設定データをテンポラリのパラメータとして設定データ記憶部１５に記憶し（Ｓ１７（設定データ記憶処理））、Ｓ１１に戻る。なお、Ｓ１７で記憶された出力設定データは、次に二次元コード８からの出力設定データの取得、又は、サーバ２３からの出力設定データの取得が行われた際に上書きされる。また、複合機１の電源がＯＦＦとなった際に削除される。
【００３６】
Ｓ１３において、携帯端末９のディスプレイ９ａが配置された面を読み取った際のスキャン画像でないと判断した場合、すなわち用紙などを読み取ったスキャン画像である場合には（Ｓ１３：ＮＯ）、Ｓ１２で作成された画像データのスキャン画像を出力画像に設定する（Ｓ１８）。すなわち、この時点で選択ボタン６ａによってプリントモードが選択されている場合には、Ｓ１２で作成された画像データのスキャン画像をプリンタ部３で記録する画像に設定する。この時点で選択ボタン６ａによってＦＡＸモードが選択されている場合には、Ｓ１２で作成された画像データをファクシミリ通信部５によって送信する画像データに設定する。その後、後述するＳ２１に進む。
【００３７】
また、Ｓ１４において、スキャン画像のディスプレイ９ａに対応する矩形領域９１に、二次元コード８が表示されていないと判断した場合には（Ｓ１４：ＮＯ）、Ｓ１２で作成された画像データのスキャン画像が出力禁止画像に該当するか否かを判断する（Ｓ１９（画像判断処理））。スキャン画像が出力禁止画像に該当するか否かの判断は、条件記憶部１４に記憶されている画像判断条件に基づいて行う。そして、スキャン画像が出力禁止画像に該当すると判断した場合には（Ｓ１９：ＹＥＳ）、Ｓ１１に戻る。すなわち、スキャン画像が出力禁止画像に該当すると判断した場合には、Ｓ１２で作成された画像データに基づく後述する出力処理（Ｓ２２又はＳ２４）は実行されない（中止処理）。なお、このときスキャン画像が禁止画像に該当する旨を、例えばエラーランプ（図示せず）を点灯させるなどの方法でユーザに報知してもよい。
【００３８】
一方、スキャン画像が出力禁止画像に該当しないと判断した場合には（Ｓ１９：ＮＯ）、スキャン画像に含まれる矩形領域９１に対応する部分の画像を、出力画像に設定する（Ｓ２０）。すなわち、この時点で選択ボタン６ａによってプリントモードが選択されている場合には、Ｓ１２で作成された画像データのスキャン画像に含まれる矩形領域９１に対応する部分の画像をプリンタ部３で記録する画像に設定する。また、この時点で選択ボタン６ａによってＦＡＸモードが選択されている場合には、Ｓ１２で作成された画像データのうち矩形領域９１の画像に対応する部分をファクシミリ通信部５によって送信する画像データに設定する。
【００３９】
本実施形態では、画像判断処理において、携帯端末９のディスプレイ９ａが配置された面を読み取った際のスキャン画像であると判断された画像のうち、ディスプレイ９ａに対応する矩形領域９１に対応する部分のみを出力画像に設定している。つまり、ディスプレイ９ａの外側の枠領域９２に対応する部分の画像は出力されない。したがって、携帯端末９のディスプレイ９ａに表示した画像のみを出力することができる。
【００４０】
Ｓ１８、Ｓ２０においてそれぞれ出力画像を設定した後は、設定データ記憶部１５にテンポラリの出力設定データが記憶されているか否かを判断する（Ｓ２１）。そして、設定データ記憶部１５にテンポラリの出力設定データが記憶されていると判断した場合には（Ｓ２１：ＹＥＳ）、テンポラリの出力設定データにしたがって、用紙に画像が記録されるようにプリンタ部３を制御する、又は、画像データが送信されるようにファクシミリ通信部５を制御する（Ｓ２２（出力処理））。なお、Ｓ２２において画像の記録を行うか、画像データの送信を行うかは、選択ボタン６ａによって選択されている出力モード（プリントモード又はＦＡＸモード）に従う。その後Ｓ１１に戻る。
【００４１】
また、Ｓ２１において、設定データ記憶部１５にテンポラリの出力設定データが記憶されていないと判断した場合には（Ｓ２１：ＮＯ）、設定データ記憶部１５に記憶されているデフォルトの出力設定データに基づいて、プリンタ部３における画像の記録、又は、ファクシミリ通信部５における画像データの送信を行う（Ｓ２４（出力処理））。なお、Ｓ２４において画像の記録を行うか、画像データの送信を行うかは、この時点で選択ボタン６ａによって選択されている出力モード（プリントモード又はＦＡＸモード）に従う。その後Ｓ１１に戻る。
【００４２】
したがって、ユーザがディスプレイ９ａに二次元コード８を表示させた状態の携帯端末９をスキャナ部２の読み取り台（図示せず）に載せ、スタートボタン６ｂを押下した場合、携帯端末９のディスプレイ９ａが配置された面の読み取りが行われる。そして、正常にディスプレイ９ａに表示された二次元コード８が読み取られた場合には、携帯端末９でユーザが入力した出力設定データが、テンポラリのパラメータとして設定データ記憶部１５に記憶される。
【００４３】
また、ユーザがディスプレイ９ａに二次元コード８以外の写真などの画像を表示させた状態の携帯端末９をスキャナ部２の読み取り台（図示せず）に載せ、スタートボタン６ｂを押下してスキャナ部２でのスキャニングを実行した場合、スキャン画像に含まれる矩形領域９１に対応する部分の画像の記録、又は、スキャニングで作成された画像データのうち矩形領域９１の画像に対応する部分の画像データの送信が行われる。さらに、ユーザが用紙など携帯端末９のディスプレイ９ａ以外の原稿をスキャナ部２の読み取り台（図示せず）に載せ、スタートボタン６ｂを押下してスキャニングを実行した場合、スキャン画像の記録、又は、スキャニングで作成された画像データの送信が行われる。
【００４４】
以上のように、上述の実施形態の複合機１は、画像が矩形領域９１と矩形領域９１を取り囲む枠領域９２とから構成されているという、画像データに含まれる画像に関する所定形状条件を記憶する条件記憶部１４を備えている。そして、制御部１０は、スキャナ部２による原稿の読み取りによって作成された画像データが、条件記憶部が記憶する所定形状条件に合致するものであるか否かを判断する画像判断処理を実行する（図４のＳ１３）。そして、画像データが所定形状条件に合致すると判断した場合、当該画像データに含まれる画像の矩形領域９１に、プリンタ部３における画像の記録又はファクシミリ通信部５における画像データの送信に係る指示情報を示す二次元コード８が表示されているか否かを判断する指示情報有無判断処理を実行する（図４のＳ１４）。さらに、指示情報を示す二次元コード８が表示されていると判断した場合、当該指示情報に従って用紙に画像が記録されるようにプリンタ部３を制御する、又は、当該指示情報に従って画像データが送信されるようにファクシミリ通信部５を制御する出力処理を実行する（図４のＳ２２）。したがって、ディスプレイ９ａを有する携帯端末９と複合機１との通信を確立することが煩雑である場合又はできない場合においても、携帯端末９から複合機１に画像の出力処理に係る指示情報を提供することが可能となる。したがって、表示部又はタッチパネルなどの複雑な操作部を持たない複合機１に対しても、表示部又は複雑な操作部を持つ複合機と同様の指示情報を提供することができる。よって、複合機１又はプリンタとの通信が確立されていない携帯端末９を用いた場合における出力設定項目についての自由度を高め、利便性を向上させることができる。
【００４５】
また、上述の複合機１では、制御部１０は、指示情報有無判断処理において指示情報を示す二次元コード８が表示されていると判断した場合には（図４のＳ１４：ＹＥＳ）、出力処理において、指示情報有無判断処理よりも後に行われたスキャナ部２による原稿の読み取りによって作成された画像データに基づいて画像が記録されるようにプリンタ部３を制御する、又は、当該原稿の読み取りによって作成された画像データが送信されるようにファクシミリ通信部５を制御する（図４のＳ２２）。したがって、携帯端末９のディスプレイ９ａに表示された指示情報に従って、任意の画像、例えば携帯端末９のディスプレイ９ａに表示された画像や用紙に描かれた画像などを出力することが可能となる。
【００４６】
さらに、上述の複合機１では、指示情報有無判断処理において指示情報を示す二次元コード８が表示されていないと判断した場合（図４のＳ１４：ＮＯ）、出力処理において、画像判断処理において所定形状条件に合致するものであるかの判断対象となった画像データに基づいて、用紙に画像が記録されるようにプリンタ部３を制御する、又は、判断対象となった画像データが送信されるようにファクシミリ通信部５を制御する（図４のＳ２２又はＳ２４）。したがって、携帯端末９のディスプレイ９ａに表示された画像を出力することが可能となる。
【００４７】
加えて、上述の複合機１では、制御部１０は、指示情報有無判断処理において指示情報を示す二次元コード８が表示されていないと判断した場合（図４のＳ１４：ＮＯ）、出力処理において、設定データ記憶部１５に記憶された出力設定データを用いて、プリンタ部３又はファクシミリ通信部５を制御する（図４のＳ２２又はＳ２４）。したがって、指示情報を示す二次元コード８が表示されていない場合においても出力設定データを用いた適切な画像の出力を行うことができる。
【００４８】
さらに、上述の複合機１では、制御部１０は、指示情報有無判断処理において指示情報を示す二次元コード８が表示されていると判断した場合（図４のＳ１４：ＹＥＳ）、当該指示情報に係る出力設定データを設定データ記憶部１５に記憶させる設定データ記憶処理を実行する（図４のＳ１７）。したがって、指示情報を示す二次元コード８が表示されていない場合においても、過去に読み取った指示情報に係る出力設定データを用いたより適切な画像の出力を行うことができる（図４のＳ２２）。
【００４９】
また、上述の複合機１では、スキャナ部２による原稿の読み取りによって作成された画像データに含まれる画像が出力禁止画像に該当するか否かの画像判断条件を条件記憶部１４に記憶している。そして、制御部１０は、指示情報有無判断処理において指示情報を示す二次元コード８が表示されていないと判断した場合（図４のＳ１４：ＹＥＳ）、条件記憶部に記憶された画像判断条件に基づいて、スキャナ部２による原稿の読み取りによって作成された画像データに含まれる画像が出力禁止画像に該当するか否かを判断する画像判断処理を実行する（図４のＳ１９）。そして、画像判断処理において出力禁止画像に該当すると判断した場合に、当該画像データに基づいた出力処理の実行を中止する中止処理を実行する。したがって、携帯端末９のディスプレイ９ａに表示された画像を適正に読み取ることができなかった場合に、不適切な画像（真っ白又は真っ黒）が出力されるのを効果的に防止することができる。
【００５０】
また、上述の複合機１では、制御部１０は、指示情報として、インターネット２０に接続されたサーバ２３に係る位置指定情報であるＵＲＬを示す二次元コード８が表示されているか否かを判断する（図４のＳ１５）。そして、ＵＲＬを示す二次元コード８が表示されていると判断した場合に、サーバ２３に格納された出力設定データを取得するように、ネットワーク通信部４を制御する取得処理をさらに実行する（図４のＳ１６）。さらに、出力処理において、取得処理で取得した出力設定データを用いてプリンタ部３又はファクシミリ通信部５を制御する。したがって、インターネット２０に接続されたサーバ２３に格納された出力設定データを用いて画像を出力することが可能となるため、より利便性が高くなる。
【００５１】
加えて、上述の複合機１では、条件記憶部１４は、矩形領域９１の寸法範囲及び枠領域９２の寸法範囲をそれぞれ記憶する。そして、画像判断処理において、スキャン画像が、所定形状条件に加えて矩形領域９１の寸法範囲及び枠領域９２の寸法範囲の条件も満たすか否かを判断する。したがって、形状だけでなく寸法も考慮して、携帯端末９のディスプレイ９ａが配置された面を読み取った際のスキャン画像であるか否かの判断を行うことができる。
【００５２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５３】
すなわち、例えば上述の実施形態においては、指示情報を携帯端末９のディスプレイ９ａに二次元コード８で表す場合について説明したが、これには限定されない。ディスプレイ９ａに表示される指示情報は、一次元コード又は文字列などの一又は複数の記号を含む記号群で表示されたものであればよい。
【００５４】
また、上述の実施形態においては、指示情報有無判断処理において指示情報が表示されていると判断した場合に、出力処理において、指示情報有無判断処理よりも後に行われたスキャナ部２による原稿の読み取りによって作成された画像データに基づいて出力処理を行う場合について説明したが、これには限定されない。出力処理は、例えば内蔵メモリやＵＳＢメモリなどのリムーバブルメモリから取得した画像データに基づいて行ってもよい。
【００５５】
さらに、上述の実施形態においては、指示情報有無判断処理において指示情報が表示されていないと判断した場合は、画像判断処理において所定形状条件に合致するものであるかの判断対象となったスキャン画像の矩形領域９１に対応する部分の画像のみを、出力処理での出力画像に設定する場合について説明したが、これには限定されない。すなわち、スキャン画像の全体を出力処理での出力画像に設定してもよい。また、指示情報有無判断処理において指示情報が表示されていないと判断した場合は、出力処理が行われないようにしてもよい。
【００５６】
さらに、上述の実施形態においては、設定データ記憶処理で設定データ記憶部１５に記憶された出力設定データは、次に二次元コード８からの出力設定データの取得、若しくは、サーバ２３からの出力設定データの取得が行われるまで、又は、複合機１の電源がＯＦＦにされるまで設定データ記憶部１５に記憶されたままになっている場合について説明したが、これには限定されない。すなわち、例えばＳ２２においてテンポラリの出力設定データに基づく出力処理が行われた後に、設定データ記憶部１５に記憶されたテンポラリの出力設定データを削除するようにしてもよい。
【００５７】
加えて、上述の実施形態においては、スキャナ部２による原稿の読み取りによって作成された画像データに含まれる画像が出力禁止画像に該当するか否かの画像判断条件を条件記憶部１４に記憶している場合について説明したが、これには限定されない。すなわち、スキャナ部２で読み取られた画像がどのような画像であっても出力するようにしてもよい。
【００５８】
また、上述の実施形態においては、スキャン画像が、携帯端末９のディスプレイ９ａが配置された面を読み取った際のスキャン画像であるか否か判断する際に、矩形領域９１と矩形領域９１を取り囲む枠領域９２とで構成されているという所定形状条件に加えて、矩形領域９１の寸法範囲及び枠領域９２の寸法範囲の条件を満たすか否かを判断する場合について説明したが、これには限定されない。すなわち、所定形状条件のみで判断してもよい。
【００５９】
さらに、上述の実施形態においては、出力処理において画像の記録を行うか画像データの送信を行うかは、選択ボタン６ａによって選択されている出力モードに従う場合について説明したが、これには限定されない。すなわち、例えば携帯端末９のディスプレイ９ａに表示された二次元コード８から取得した出力設定データ、又は、サーバ２３から取得した出力設定データが画像の記録に関するものであれば、その後に実行する出力処理では画像の記録を行うようにしてもよい。また、取得した出力設定データが画像の送信に関するものであれば、その後に実行する出力処理で画像の送信を行うようにしてもよい。
【００６０】
また、上述の実施形態においては、携帯端末９で入力された出力設定データをインターネット２０に接続されたサーバ２３内のファイルに格納する場合について説明したが、これには限定されない。すなわち、サーバ２３内のファイルに格納される出力設定データは、携帯端末９で入力されたものではなく、サーバ２３と通信可能なＰＣなどから送信されたものであってもよい。さらに、サーバ２３は、複合機１及び携帯端末９がともに接続可能なネットワークに接続されていればよい。
【００６１】
また、上述の実施形態においては、指示情報が出力設定項目及び出力設定項目に対応する出力設定データである場合について説明したが、これには限定されない。すなわち、指示情報内における出力設定データの位置（配置順）が規定されている場合には、指示情報に出力設定項目は含まれておらず、出力設定データのみであってもよい。
【００６２】
加えて、上述の実施形態においては、指示情報が出力設定データが格納されたサーバ２３内のファイルの位置情報であるＵＲＬである場合について説明したがこれには限定されない。すなわち、指示情報がＵＲＬである場合には、そのＵＲＬは出力処理における画像の記録又は画像データの送信に係る画像データのネットワーク上の位置情報を含んでいてもよい。
【００６３】
また、上述の実施形態においては、指示情報を取得した後に、Ｓ１２で実行したスキャニングにより作成された画像データに基づいてＳ２２での出力処理が行われる場合について説明したが、これには限定されない。すなわち、出力処理で用いられる画像データは、指示情報を取得する前に実行したスキャニングにより作成されたものであってもよい。
【００６４】
さらに、上述の実施形態においては、印刷機能、スキャナ機能及びＦＡＸ機能を有する複合機１に本発明を適用する場合について説明したが、これには限定されない。すなわち、本発明は、ＦＡＸ機能を有さない複合機やスキャナ機能及びＦＡＸ機能のみを有する装置に適用することもできる。また、本発明はプリンタ単体にも適用することができる。すなわち、図５に示すプリンタ１ａは、ＵＳＢインターフェース２ａを介して外部機器であるスキャナ２００と接続されている。プリンタ１ａは、スキャナ２００による原稿の読み取りによって作成された画像データを取得し、その画像データに基づいて画像判断処理及び指示情報有無判断処理を実行する。
【００６５】
加えて、上述の実施形態では、複合機１が、ディスプレイを備えておらず、選択ボタン６ａ、スタートボタン６ｂ及び電源ボタン６ｃの３つの物理ボタンを備えているだけの構成となっている場合について説明したが、これには限定されない。本発明は、ディスプレイや、４つ以上の多数の物理ボタンを備えた複合機やプリンタに適用することもできる。
【符号の説明】
【００６６】
１  複合機
２  スキャナ部（画像読取部）
３  プリンタ部（画像記録部）
５  ファクシミリ通信部（画像送信部）
１０  制御部
１５  条件記憶部
１ａ  プリンタ（画像記録装置）
【図１】
2020057854.tif 000003
【図２】
2020057854.tif 000004
【図３】
2020057854.tif 000005
【図４】
2020057854.tif 000006
【図５】
2020057854.tif 000007